(57)【要約】【課題】塀パネルに風荷重がかかっても、塀パネル等に変形や破断等の不具合が生じにくい塀を提供する。【解決手段】間隔をおいて設けられた支柱１間に塀パネル２が取付けられ、前記塀パネル２は、パネル本体２１と、その左右端部の縦枠４と、縦枠４を支柱１に取付けるための継手６とを備え、前記縦枠４は、前後設けられた前側壁４１及び後側壁４２と、左右に設けられた内側壁４３及び外側壁４４とによって中空部４５が形成され、前記継手６、前側壁４１、後側壁４２にそれぞれ設けられた貫通孔６４、前ボルト孔４１ａ、後ボルト孔４２ａ及び前記中空部４５を通って前後方向に貫通する固定ボルト７と該固定ボルト７に螺着するナットＮ３によって、前記縦枠４が継手６に取付けられるように塀Ｐを構成する。【選択図】  図１
2014169586.tif 000002
【特許請求の範囲】
【請求項１】
間隔をおいて設けられた支柱間に塀パネルが取付けられ、前記塀パネルは、矩形状のパネル本体と、前記パネル本体の左右端部に相対向して取付けられた縦枠と、前記縦枠を支柱に取付けるための継手とを備え、前記縦枠は、前後に間隔をおいて設けられた前側壁及び後側壁と、左右に間隔をおいて設けられた内側壁及び外側壁とによって中空部が形成され、前記継手、前側壁、後側壁にそれぞれ設けられた貫通孔、前ボルト孔、後ボルト孔及び前記中空部を通って前後方向に貫通する固定ボルトと該固定ボルトに螺着するナットによって、前記縦枠が継手に取付けられていることを特徴とする塀。
【請求項２】
前記縦枠の外側壁には、上下方向に延びる側片が外方に向けて設けられていることを特徴とする請求項１に記載の塀。
【請求項３】
前記側片は、外側壁を挟んで前側壁及び後側壁がそれぞれ延長されるようにして２個対向して形成されていることを特徴とする請求項２に記載の塀。
【発明の詳細な説明】
【技術分野】
【０００１】
本発明は、自動車等からの騒音が発生する道路近傍の住宅、工場、公園等の敷地境界部や隣地境界部に沿って取付けられる塀の塀パネルに関するものである。
【背景技術】
【０００２】
住宅、工場、公園等の敷地境界部や隣地境界部に沿って取付けられる塀は、一般には鋼線材を格子状に組んだ格子体、金属板や金属板と樹脂板とを積層した積層体等の板材、ルーバー材等のパネルを支柱間に取付けたものが用いられている。
【０００３】
これらのパネルにおいて、敷地外からのめかくし機能や遮音性能を付加するために板材を用いる場合は、板材の外周部に縦枠、横枠又はその両方を配置し、継手を介してこれらの枠材と支柱とを連結している。継手は、横枠に取付けられる場合と、縦枠に取付けられる場合と、横枠と縦枠との交差部に取付ける場合とがあり、塀として必要な強度や施工方法等に応じて適宜を使い分けて用いられている。
【０００４】
例えば、継手を横枠に取付けた形態として、特許文献１に記載されるように、支柱間にパネルが取付けられたフェンスであって、パネルの上、下端部に胴部を取付け、この胴縁にボルトを介して継手金具を固定し、該継手金具を介して前記パネルを支柱間に固定したフェンスが知られている。
【先行技術文献】
【特許文献】
【０００５】
【特許文献１】特開２０１０−２６１２４３号公報
【発明の概要】
【発明が解決しようとする課題】
【０００６】
ところで、特許文献１に記載のフェンスにおいては、継手は胴縁に固定されているので、パネルに風荷重がかかると、パネルの中央部に撓みが生じて、パネルの上下方向中央部の撓みをおさえることが困難となり、パネルのばたつきが生じ、またパネルや胴縁に破断や変形等の不具合が生じる場合があった。
【０００７】
本発明は、前記の如き問題点を解消し、塀パネルに風荷重がかかっても、塀パネル等に変形や破断等の不具合が生じにくい塀を提供する。
【課題を解決するための手段】
【０００８】
上記目的を達成するために、本発明は次のような構成としている。
すなわちこの発明に係る塀は、間隔をおいて設けられた支柱間に塀パネルが取付けられ、前記塀パネルは、矩形状のパネル本体と、前記パネル本体の左右端部に相対向して取付けられた縦枠と、前記縦枠を支柱に取付けるための継手とを備え、前記縦枠は、前後に間隔をおいて設けられた前側壁及び後側壁と、左右に間隔をおいて設けられた内側壁及び外側壁とによって中空部が形成され、前記継手、前側壁、後側壁にそれぞれ設けられた貫通孔、前ボルト孔、後ボルト孔及び前記中空部を通って前後方向に貫通する固定ボルトと該固定ボルトに螺着するナットによって、前記縦枠が継手に取付けられていることを特徴とするものである。
【０００９】
前記縦枠の外側壁には、上下方向に延びる側片が外方に向けて設けられていることが好ましい。
【００１０】
また前記側片は、外側壁を挟んで前側壁及び後側壁がそれぞれ延長されるようにして２個対向して形成されていることが好ましい。
【発明の効果】
【００１１】
本発明によれば、前記継手、前側壁、後側壁にそれぞれ設けられた貫通孔、前ボルト孔、後ボルト孔及び前記中空部を通って前後方向に貫通する固定ボルトと該固定ボルトに螺着するナットによって、前記縦枠が継手に取付けられているので、固定ボルトに対して、パネル本体が支柱と反対方向に引っ張られて移動した場合、外側壁が当たりとなって、縦枠及びパネル本体のそれ以上の移動を阻止することができる。
【００１２】
また、前記縦枠の外側壁には、上下方向に延びる側片が外方に向けて設けられていれば、前述のパネル本体に風荷重がかかった際、固定ボルトによって後側壁が外方へ膨らむ変形を抑えることができる。この際、側片は、外側壁を挟んで前側壁及び後側壁がそれぞれ延長されるようにして２個対向して形成されていれば、前記の変形を更に抑えることができる。
【図面の簡単な説明】
【００１３】
【図１】本発明に係る塀の実施の一形態を示す正面図である。
【図２】図１の塀パネルの正面図である。
【図３】図２のＡ−Ａ端面における拡大端面図である。
【図４】図２のＢ−Ｂ端面における拡大端面図である。
【図５】図１の横枠と縦枠との接続箇所付近の部分分解斜視図である。
【図６】図１において縦枠に取付けられたキャップ付近の部分分解斜視図である。
【図７】図１の継手付近の部分分解斜視図である。
【図８】図７のＣ−Ｃ断面における拡大断面図である。
【図９】図８の縦枠付近の拡大図である。
【図１０】図８の縦枠の変形を示す拡大断面図である。
【発明を実施するための形態】
【００１４】
次に、本発明を実施するための最良の形態について図面を参照し、具体的に説明する。
【００１５】
図１は、本発明に係る塀の実施の一形態を示す正面図である。支柱１は、一般に設置面に対して下端部が埋設されており、強度的に安定している鋼管が用いられるが、鋼材以外に他の金属を用いてもよい。他の金属としては、アルミニウム合金、ステンレス合金等を挙げることができる。また、支柱の耐食性や耐候性を高めるために金属めっきや塗装が施されてもよい。更に本形態では、支柱１の上端に支柱キャップ１１が取付けられている。
【００１６】
塀パネル２は、パネル本体２１とその外周に取付けられた上下一対の横枠３と、左右一対の縦枠４とを備えている。パネル本体２１は、矩形状の板材であって、本形態では、合成樹脂からなる芯材の表裏両面に金属箔を積層した積層板である。この金属箔を積層した三層構造により、芯材が合成樹脂であって軽量化を図りながら、比較的曲げ強度が高くなるので、塀に用いられる時に耐風荷重性が優れたものとなる。しかしながら、パネル本体２１は、本形態に限定されるものではなく、例えば、前記合成樹脂製芯材において、発泡芯材を用いてもよく、無機材料や硝子繊維や炭素繊維等を含むものでもよい。更に、パネル本体２１として、金属板や、前記合成樹脂製芯材を単独で用いたものでもよく、これらを複数積層させたものを用いてもよい。
【００１７】
図２〜４は、図１の塀Ｐの塀パネルの説明図であって、図２は塀パネルの正面図、図３は図２のＡ−Ａ端面における拡大端面図、図４は図２のＢ−Ｂ端面における拡大端面図である。横枠３は、本形態では、断面略矩形状の筒型に形成され、パネル本体２１の上下端部が挿入されるように、横枠３の内部に向かって凹む横溝３１が、左右方向に沿って設けられている。すなわち、前記横溝３１を相対向させて、パネル本体２１の上下端部に横枠３が配置されている。
【００１８】
縦枠４は、前後に間隔をおいて設けられた前側壁４１と後側壁４２と、左右に間隔をおいて設けられた内側壁４３と外側壁４４とを備え、その内部に上下方向に沿って中空部４５を有する断面略矩形状の筒型に形成されている。そして、縦枠４の内側壁４３は、本形態では、パネル本体２１の左右の側端部２２が挿入されるように、縦枠４の内部に向かって凹む縦溝４６が、上下方向に沿って設けられている。すなわち、前記縦溝４６を相対向させて、パネル本体２１の左右に縦枠４が配置されている。
【００１９】
横枠３及び縦枠４は、一般にはアルミニウム合金による押出成型してなる長尺形材を適宜長さに切断して用いられる。アルミニウム合金以外に他の金属として、ステンレス合金や鋼材を用いてもよく、これらを用いる場合は、板材をプレス加工や曲げ加工等によって成形したものでもよい。
【００２０】
続いて、横枠３と縦枠４との接続構造について、更に詳しく説明する。図５は図１の横枠と縦枠との接続箇所付近の部分分解斜視図である。横枠３は、本形態では、左右の縦枠４間に配置されている。すなわち、横枠３は、その内部に長手方向に沿ってビスホール３２が形成されている。一方、縦枠において、内側壁４３は、前記ビスホール３２に対応する位置に挿通孔４３ａが形成されており、前記挿通孔４３ａを通して固定ねじＢ１をビスホール３２に螺入し、縦枠４に横枠３を締結する。本形態では、縦枠４の外側壁４４の上端部が切り欠かれて切欠部４７が設けられているので、前記固定ねじＢ１を締め付ける際、ドライバー等の締結具と外側壁４４とは干渉せず、前記締結作業が容易となり好ましい。また固定ねじＢ１を外す際も取り外し作業が容易となり好ましい。
【００２１】
なお、図示しないが、本形態では、縦枠４の外側壁４４の下端部も、切り欠かれて切欠部が設けられており、縦枠４と下方の横枠３との締結作業も同様な理由で容易となり好ましい。また図示しないが、外側壁４４の切欠部４７を設ける替わりに、外側壁４４にドライバーの軸が通る程度の孔をあけて、その孔からドライバーの軸を挿入して固定ねじＢ１を締結するようにしてもよい。
【００２２】
次に、縦枠４の上端部に取付けられるキャップ５の取付構造について、詳しく説明する。図６は図１において縦枠に取付けられたキャップ付近の部分分解斜視図である。キャップ５は、縦枠４の上端を覆う蓋部５１と、縦枠４の中空部４５内に挿入されて縦枠４の外側壁４４に設けられた係止孔４４ａに係脱自在に係止される突起５３を有する挿入部５２とを備えており、前記蓋部５１によって前記固定ねじＢ１の頭部の上方が覆われて、雨水等が直接当たらなくなり、また外部から固定ねじＢ１の頭部が視認できず、外観が向上する。
【００２３】
次に、支柱１に対する塀パネル２の取付構造について、図７〜９を用いて説明する。すなわち、図７は図１の継手付近の部分分解斜視図、図８は図７のＣ−Ｃ断面における拡大断面図、図９は図８の縦枠付近の拡大図である。塀パネル２は、継手６を介して支柱１に取付けられており、前記継手６は、本形態では、支柱１に固定する支柱固定部６１と、塀パネル２の縦枠４に固定する縦枠固定部６２とを備えている。そして、支柱固定部６１が支柱１の外周に沿って縦板状に形成され、その左右両端部から左右方向に縦枠固定部６２が設けられた平面視ハット型に形成されている。支柱固定部６１は、支柱の前面に配置され、支柱固定部６１及び支柱１を前後方向に貫通する固定ボルトＢ２と、該固定ボルトＢ２に螺着するナットＮ２とによって締結されている。
【００２４】
図７に示された塀Ｐの継手６は、支柱１に対して、左右両側に塀パネル２が取付けらたものであるが、図１に示された塀Ｐの側端部に用いられている継手６は、支柱１に対して一側面のみに塀パネル２が配置されているため、支柱固定部６１の一方の側端部から縦枠固定部６２が設けられた平面視キャップ型に形成されたものを用いている。
【００２５】
縦枠固定部６２は、縦枠４の前側壁４１の前面に沿って配置されている。そして、固定ボルト７にと、前記固定ボルト７に螺着するナットＮ３、スプリングワッシャＳ、ワッシャＷによって、縦枠固定部６２と縦枠４とが締結される。縦枠固定部６２、前側壁４１及び後側壁４２には、前記固定ボルト７が貫通する貫通孔６３、前ボルト孔４１ａ及び後ボルト孔４２ａが設けられている。本形態では、貫通孔６３、前ボルト孔４１ａ及び後ボルト孔４２ａは、横長孔に形成されている。これにより、支柱１間に塀パネル２を取付ける際、支柱１間距離に僅かな施工誤差が生じても、その誤差を吸収することができる。固定ボルト７の頭部７１は、本形態では、対向する二側面が幅狭の細長形状に形成されている。これにより、該頭部７１を固定ボルト７のねじ部７２の軸周りに回転させることにより、前記貫通孔６３、前ボルト孔４１ａ及び後ボルト孔４２ａに対して該頭部７１が挿通可能な状態と、挿通不可の状態とに変更して配置することができる。したがって、ボルト７の頭部７１をナットＮ３が螺着する側から挿入することができるので、作業者が一人であっても、塀Ｐの一方の面側から固定ボルト７を操作して、締結作業ができる。なお、縦枠固定部６２の貫通孔６３のみが横長孔でもよく、また、前ボルト孔４１ａ及び後ボルト孔４２ａが横長孔であってもよい。
【００２６】
前記固定ボルト７は、縦枠４の中空部４５であって、内側壁４３と外側壁４４の間を通って該縦枠４を貫通している。そして、前ボルト孔４１ａ及び後ボルト孔４２ａは、縦枠４の外側壁４４側に向けて延びており、本形態では、前ボルト孔４１ａ及び後ボルト孔４２ａの側端縁が外側壁４４の内壁面４８とほぼ面一に形成されている。
【００２７】
これにより、塀Ｐにおいて、塀パネル２が風を受けて、固定ボルト７に対して、パネル本体２１が支柱１と反対方向に引っ張られて移動した場合であっても、外側壁４８が当たりとなって、縦枠４のそれ以上の移動を阻止することができる。すなわち、縦枠４がパネル本体２１の中央側に引き寄せられて、固定ボルト７は、前ボルト孔４１ａ及び後ボルト孔４２ａの側端縁４１ｂ、４２ｂの少なくとも一方に接するまで移動しうる。その際、外側壁４４がない場合では、前記側端縁４１ｂ、４２ｂの両方又は一方で固定ボルト７を支持することとなって、前ボルト孔４１ａ及び後ボルト孔４２ａが外方に向けて押し広げられて、縦枠４の変形や破断等の不具合が生じる場合がある。これに対して、本形態では、前記内壁面４８が当たりとなって固定ボルト７から受ける応力を分散して支えることができるので、縦枠４のそれ以上の移動と変形等の不具合を抑えることができる。
【００２８】
前ボルト孔４１ａ及び後ボルト孔４２ａの側端縁４１ｂ、４２ｂは、前記のように外側壁４４の内壁面４８とほぼ面一に形成されている方が好ましいが、前ボルト孔４１ａ及び後ボルト孔４２ａを打ち抜き加工等によって作成する場合は、前記側端縁４１ｂ、４２ｂの位置が、前記内壁面４８より縦枠４の中央側となって、該内壁面４８と側端縁４１ｂ、４２ｂとによって段部（図示せず）が形成される。前記段部が生じると、前記のような塀パネル２が風を受ける際、固定ボルト７によって段部が内壁面４８と略面一になるまで押しつぶされる。したがって、段部の高さがあまり大きいと不具合が生じる場合があるので、段部が生じる場合においても、その高さ寸法は、短い方が好ましく、更には前側壁４１又は後側壁４２の厚さ寸法より短い方がより好ましい。
【００２９】
本形態では、縦枠４の外側壁４４の外方に、上下方向に延びる側片４９が設けられている。これにより、前記のような塀パネル２が風を受ける際、固定ボルト７によって縦枠４の外側壁４４が外側に膨らむ変形を抑えることができる。本形態では、側片４９は、
外側壁を挟んで前側壁４１及び後側壁４２がそれぞれ延長されるようにして２個対向して形成されており、すなわち、前側壁４１又は後側壁４２の外壁面と面一に形成されている。これにより、前記効果が更に高められると共に、固定ボルト７による前ボルト孔４１ａ孔及び後ボルト孔４２ａが外側壁４４の外方に向けて広がることを防ぐことができる。
【００３０】
また、固定ボルト７を用いて、縦枠４と縦枠固定部６２とを締結する際、ワッシャＷが、後側壁４２の外壁面と後方側の側片４９の外壁面とにわたって配置されていれば、前側壁４１又は後側壁４２の間隔が不必要に狭まることなく、強固に締結することができる。
【００３１】
なお、図１０のように、側片４９の基端部をより厚肉として厚肉部４９ａを設けることによって、前記効果を更に高めることができる。
【００３２】
継手６は、本形態では、１個の縦枠４に上下に間隔をあけて２個取付けられているが、塀パネル２が上下方向に比較的長い場合は、必要とされる強度等に応じて３個以上取付けてもよい。すなわち、本形態に係る継手６は、横枠３に固定されるものではないので、縦枠４に対する取付位置や取付個数の変更が設計しやすく好ましい。
【符号の説明】
【００３３】
１    支柱
２    塀パネル
２１  パネル本体
２２  側端部
３    横枠
３１  横溝
３２  ビスホール
４    縦枠
４１  前側壁
４１ａ  前ボルト孔
４１ｂ  側端縁
４２  後側壁
４２ａ  後ボルト孔
４２ｂ  側端縁
４３  内側壁
４３ａ  
４４  外側壁
４５  中空部
４６  縦溝
４７  切欠部
４８  内壁面
４９  側片
４９ａ  厚肉部
５    キャップ
５１  蓋部
５２  挿入部
５３  突起
６    継手
６１  支柱固定部
６２  縦枠固定部
６３  貫通孔
７    固定ボルト
７１  頭部
７２  ねじ部
Ｂ１  固定ネジ
Ｂ２  固定ボルト
Ｎ２、Ｎ３    ナット
Ｐ    塀
Ｓ    スプリングワッシャ
Ｗ    ワッシャ
【図１】
2014169586.tif 000003
【図２】
2014169586.tif 000004
【図３】
2014169586.tif 000005
【図４】
2014169586.tif 000006
【図５】
2014169586.tif 000007
【図６】
2014169586.tif 000008
【図７】
2014169586.tif 000009
【図８】
2014169586.tif 000010
【図９】
2014169586.tif 000011
【図１０】
2014169586.tif 000012